(57)【要約】      （修正有）【課題】紙容器のスクリューキャップが一旦開封された場合、また、いたずら防止リングから外れて開栓方向に回転した場合に、簡単且つ容易に目視で判断できて衛生性が確保できる液体食品用紙容器及びスクリューキャップ付き開封装置を提供する。【解決手段】液体食品用紙容器は、頂面にスクリューキャップ４付き開封装置を備え、スクリューキャップ４が、内周面で、筒状の本体部のスパウトの外周面のネジに螺合し、本体部のスパウトの下端に頂面に固着するフランジ５、いたずら防止リング６を備え、スクリューキャップの外周面の下部に、外周面と、その下方の外面に亘って、全体として識別文字７が付されている。【選択図】図１
2014129136.tif 000002
【特許請求の範囲】
【請求項１】
頂面にスクリューキャップ付き開封装置を備え、該スクリューキャップが、内周面で、筒状の本体部のスパウトの外周面のネジに螺合し、該本体部のスパウトの下端に該頂面に固着するフランジを備え、該スクリューキャップの外周面の下部に、該外周面と、該下方の外面に亘って、全体として識別が付されていることを特徴とする液体食品用紙容器。
【請求項２】
該スクリューキャップの下端に、該フランジとの間隙に、いたずら防止リングが離脱容易に設けられ、該スクリューキャップの外周面の下部から、少なくとも、いたずら防止リングの外面に亘って、全体として識別が付されている請求項１記載の液体食品用紙容器。
【請求項３】
該スクリューキャップの内周面のネジと該スパウトの外周面のネジとの螺合部分に、該スクリューキャップが、開封前の元位置に戻ることを防止する復帰防止手段を備える請求項２記載の液体食品用紙容器。
【請求項４】
該復帰防止手段が、該スクリューキャップの内周面のネジと該スパウトの外周面のネジとの螺合部分の、開封前の元位置に隣接して形成された突起である請求項３記載の液体食品用紙容器。
【請求項５】
液体食品用紙容器の頂面に備えられ、スクリューキャップが、内周面で、筒状の本体部のスパウトの外周面のネジに螺合し、該本体部のスパウトの下端に頂面に固着されるフランジを備え、該スクリューキャップの外周面の下部に、外周面と、該下方の外面に亘って、全体として識別が付され、該スクリューキャップの内周面のネジと該スパウトの外周面のネジとの螺合部分に、該スクリューキャップが、開封前の元位置に戻ることを防止する復帰防止手段を備えることを特徴とするスクリューキャップ付き開封装置。
【請求項６】
該識別が、該外周面及び該外面に、印刷された文字、記号若しくは模様である請求項５記載のスクリューキャップ付き開封装置。
【発明の詳細な説明】
【技術分野】
【０００１】
本発明は、いたずら防止機能を持つスクリューキャップ付き開封装置及びその開封装置を備えた液体食品用紙容器に関する。
【背景技術】
【０００２】
スクリューキャップが、牛乳、清涼飲料等の液体飲料の紙容器に備えられている（参考特許文献１）。スクリューキャップが消費者に飲用される前に故意に開栓された場合に、消費者がその状況を認識するための開封明示機能として、通常、いたずら防止リングが備えられている。
図２示す例では、紙容器１の開口予定部を覆うスクリューキャップ２では、スパウトがフランジを介して頂面に固着し、キャップ２がスパウトの外側に螺合する。開封時にキャップが回転していたずら防止リングから離れて、お互いに、上下にに離脱する。
【先行技術文献】
【特許文献】
【０００３】
【特許文献１】特開２００５−３２４８３１号公報
【発明の概要】
【発明が解決しようとする課題】
【０００４】
スクリューキャップ付紙容器が消費者に届くまでの流通過程において、偶然に、故意又は過失でキャップが回転して開封されることがある。一旦開封されてもキャップを閉めれば、外見上、開封前の状態と区別しにくいので開封されたことが容易に判断できない。また、一旦開封されてスクリューキャップといたずら防止リングの間に隙間ができる構成の場合でも隙間が目視で判断し難く、確実に消費者が認識できることが求められている。
【０００５】
本発明は、紙容器のスクリューキャップが一旦開封された場合、また、いたずら防止リングから外れて開栓方向に回転した場合に、簡単且つ容易に目視で判断できて衛生性が確保できる液体食品用紙容器及びスクリューキャップ付き開封装置を提供することを目的とする。
【課題を解決するための手段】
【０００６】
本発明の液体食品用紙容器は、頂面にスクリューキャップ付き開封装置を備え、スクリューキャップが、内周面で、筒状の本体部のスパウトの外周面のネジに螺合し、本体部のスパウトの下端に頂面に固着するフランジを備え、スクリューキャップの外周面の下部に、外周面と、その下方の外面に亘って、全体として識別が付されていることを特徴とする。
【０００７】
好ましい態様において、スクリューキャップの下端に、フランジとの間隙に、いたずら防止リングが離脱容易に設けられ、スクリューキャップの外周面の下部から、少なくとも、いたずら防止リングの外面に亘って、全体として識別が付されている。
【０００８】
好ましい態様において、スクリューキャップの内周面のネジとスパウトの外周面のネジとの螺合部分に、スクリューキャップが、開封前の元位置に戻ることを防止する復帰防止手段を備える。
【０００９】
好ましい態様において、復帰防止手段が、スクリューキャップの内周面のネジとスパウトの外周面のネジとの螺合部分の、開封前の元位置に隣接して形成された突起である。
【００１０】
本発明のスクリューキャップ付き開封装置は、液体食品用紙容器の頂面に備えられ、スクリューキャップが、内周面で、筒状の本体部のスパウトの外周面のネジに螺合し、本体部のスパウトの下端に頂面に固着されるフランジを備え、スクリューキャップの外周面の下部に、外周面と、その下方の外面に亘って、全体として識別が付され、スクリューキャップの内周面のネジとスパウトの外周面のネジとの螺合部分に、スクリューキャップが、開封前の元位置に戻ることを防止する復帰防止手段を備えることを特徴とする。
【００１１】
好ましい態様において、識別が、外周面及び外面に、印刷された文字、記号若しくは模様である。
【発明の効果】
【００１２】
上記構成を備える本発明により、以下のように、機能・作用を発揮して効果を奏する。
【００１３】
本発明の液体食品用紙容器は、頂面にスクリューキャップ付き開封装置を備える。
開封されると、容器の頂面から、充填された液体食品を注ぎ出すことができ、キャップによって、再封止することができる。
【００１４】
スクリューキャップが、内周面で、筒状の本体部のスパウトの外周面のネジに螺合し、本体部のスパウトの下端に頂面に固着するフランジを備える。
スクリューキャップとスパウトとの雄ねじと雌ねじの螺合によって、確実に開封／再封を可能にする。フランジが容器の頂面に固着して、開封装置の全体を容器に固定することができる。
【００１５】
この発明の特徴において、スクリューキャップの外周面の下部に、その外周面と、その下方の外面に亘って、全体として識別が付されている。
開封時、スクリューキャップは開封方向に回転して上昇する。他方、スクリューキャップの外周面の下端の下方、具体的には、フランジ、好ましくは、いたずら防止リングも、これらは、上昇せず、回転せず、実質的に、上下に変動しない。その結果、スクリューキャップは、フランジやいたずら防止リングから離れ、ズレる。全体としての識別が上部と下部とで分断され、ズレる。
この分断されズレた識別を、消費者や流通担当者が認知して開封された状態であることを容易に理解することができる。
【００１６】
好ましい態様において、スクリューキャップの下端に、フランジとの間隙に、いたずら防止リングが離脱容易に設けられ、スクリューキャップの外周面の下部から、少なくとも、いたずら防止リングの外面に亘って、全体として識別が付されている。
この態様では、スクリューキャップは、フランジやいたずら防止リングから離れ、ズレる。全体としての識別が上部と下部とで分断され、ズレる。この分断されてズレた識別を、消費者や流通担当者が認知して開封された状態であることを容易に理解することができる。
【００１７】
好ましい態様において、スクリューキャップの内周面のネジとスパウトの外周面のネジとの螺合部分に、スクリューキャップが、開封前の元位置に戻ることを防止する復帰防止手段を備える。
復帰防止手段によって、再封動作によってスクリューキャップが元の高さまで戻っても、開封前の元位置に戻ることがないので、識別のズレが残り、消費者や流通担当者がズレを認知して開封された状態であることを容易に理解することができる。
【００１８】
好ましい態様において、復帰防止手段が、スクリューキャップの内周面のネジとスパウトの外周面のネジとの螺合部分の、開封前の元位置に隣接して形成された突起である。
復帰防止手段の突起が障壁となり、スクリューキャップが、開封前の元位置に戻ることを確実に防止することができる。
【００１９】
本発明のスクリューキャップ付き開封装置の特徴では、スクリューキャップの外周面の下部に、外周面と、その下方の外面に亘って、全体として識別が付され、スクリューキャップの内周面のネジとスパウトの外周面のネジとの螺合部分に、スクリューキャップが、開封前の元位置に戻ることを防止する復帰防止手段を備える。
この特徴によって、開封時、スクリューキャップは開封方向に回転して上昇する。他方、スクリューキャップの外周面の下端の下方の、フランジや、いたずら防止リングも、これらは、上昇せず、回転せず、実質的に、上下に変動しない。その結果、スクリューキャップは、フランジやいたずら防止リングから離れ、ズレる。全体としての識別が上部と下部とで分断され、ズレる。
復帰防止手段によって、再封動作によってスクリューキャップが元の高さまで戻っても、開封前の元位置に戻ることがないので、識別のズレが残り、消費者や流通担当者がズレを認知して開封された状態であることを容易に理解することができる。
【００２０】
好ましい態様において、識別が、外周面及び外面に、印刷された文字、記号若しくは模様である。
開封されたか否かを識別するためであるので、その目的に沿った文字、記号若しくは模様である。例えば、「ＯＫ」、「矢印」、「封」や「Ｓｅａｌ」などである。
いたずら防止用の識字によって紙容器の品質性が保持できるので商品価値を確実に向上することができる。
【図面の簡単な説明】
【００２１】
【図１】本発明による開封装置の一実施例の動作を説明する概略斜視図である。
【図２】本発明に使用できる開封装置を備えた紙容器の概略斜視図である。
【発明を実施するための最良の形態】
【００２２】
添付図面を参照して、本発明による実施の態様を詳細に説明する。
実施例の液体食品用紙容器１は、図2に示すように、頂面２にスクリューキャップ付き開封装置３を備える。
開封されると、容器１の頂面２から、充填された液体食品を注ぎ出すことができ、キャップ４によって、再封止することができる。
【００２３】
スクリューキャップ４が、内周面で、筒状の本体部のスパウト（図示せず）の外周面のネジに螺合し、スパウトは、その下端に頂面２に固着するフランジ５を備える。
スクリューキャップとスパウトとの雄ねじと雌ねじの螺合によって、確実に開封／再封を可能にする。フランジ５が、容器１の頂面２に固着して、開封装置３の全体を容器１に固定する。
【００２４】
この実施例において、スクリューキャップ４の外周面の下部に、その外周面と、その下方の外面に亘って、全体として識別７が、図１（Ａ）に示すように、付されている。
開封時、スクリューキャップ４は開封方向に回転して上昇する。他方、スクリューキャップの外周面の下端の下方のフランジ５及び、いたずら防止リング６は、上昇せず、上下に変動しない。その結果、図１（Ｂ）に示すように、スクリューキャップ４は、フランジ５やいたずら防止リング６から離れ、ズレる。全体としての識別文字「ＯＫ」が上部と下部とで分断され、ズレる。
この分断されズレた識別文字「ＯＫ」７ａ、７ｂ、７ｃを、消費者や流通担当者が認知して開封された状態であることを容易に理解する。
【００２５】
実施例において、スクリューキャップ４の下端に、フランジ５との間に、いたずら防止リング６が離脱容易に設けられ、スクリューキャップの外周面の下部から、いたずら防止リングの外面に亘って、全体として識別が付されている。
上述のように、全体としての識別文字「ＯＫ」が上部と下部とで分断され、ズレる。この識別から開封された状態であることを容易に理解する。
【００２６】
実施例においては、スクリューキャップの内周面のネジとスパウトの外周面のネジとの螺合部分に、スクリューキャップが、開封前の元位置に戻ることを防止する復帰防止手段を備える。復帰防止手段は、スクリューキャップの内周面のネジとスパウトの外周面のネジとの螺合部分の、開封前の元位置に隣接して形成された突起である。
復帰防止手段によって、再封動作によってスクリューキャップが元の高さまで戻っても、開封前の元位置に戻ることがないので、識別のズレが残り、消費者や流通担当者がズレを認知して開封された状態であることを容易に理解する。
【００２７】
実施例において、識別が、外周面及び外面に、印刷された文字、記号若しくは模様である。
開封されたか否かを識別するためであるので、その目的に沿った文字、記号若しくは模様である。実施例でば、「ＯＫ」である。その他に、「矢印」、「封」や「Ｓｅａｌ」などである。
いたずら防止用の識字によって紙容器の品質性が保持できるので商品価値を確実に向上することができる。
【００２８】
識別は、インクジェットプリント等の印刷や、エンボス（刻印）などで付記されている。
キャップが、悪意で開栓方向に回されたことを消費者が簡単に気付くことができるので、衛生上の問題による万一の事故を未然に且つ容易に防止することができる。キャップが開栓方向に回された後に閉栓位置に戻された場合でも、識別文字の複数個所が破断されているので、消費者などが容易に気付くことができる。
【産業上の利用可能性】
【００２９】
この発明は、液体食品充填用紙容器及び開封装置の製造に利用することができる。
【符号の説明】
【００３０】
１    容器
２    頂面
３    開封装置
４    キャップ
５    フランジ
６    いたずら防止リング
７    識別
【図１】
2014129136.tif 000003
【図２】
2014129136.tif 000004